(57)【特許請求の範囲】
【請求項１】
常温において火薬部の一端に着火すると他端まで継続して燃焼する第１の火薬部と、該第１の火薬部に沿って連続的に設けられ、常温において火薬部の一端に着火しても燃焼が継続せず中断してしまう第２の火薬部とを有し、前記第２の火薬部は、前記第１の火薬部が燃焼する過程で順次部分的に着火温度に達して燃焼消火を繰り返すことで間欠発光することを特徴とする玩具煙火。
【請求項２】
常温において火薬部の一端に着火すると他端まで継続して燃焼する第１の火薬部と、該第１の火薬部に沿って連続的に設けられ、常温において火薬部の一端に着火しても燃焼が継続せず中断してしまう第２の火薬部とを有し、前記第２の火薬部は、前記第１の火薬部が燃焼する過程で順次部分的に着火温度に達して燃焼消火を繰り返すことで間欠発光するものであり、前記第１の火薬部と前記第２の火薬部とを備えた火薬部は透光性を備えた外装部に収納され、前記第１の火薬部に着火すると、前記第２の火薬部が燃焼して前記外装部が間欠的に発光することを特徴とする玩具煙火。
【請求項３】
前記第１の火薬部は、外皮と当該外皮内に充填された火薬とからなり該外皮は前記火薬と共に燃焼する導火線にて形成され、前記第２の火薬部は、前記導火線に塗布されている請求項２に記載の玩具煙火。
【請求項４】
前記玩具煙火は、内部に噴出用火薬或いは打揚げ用火薬を充填した筒状部と、該筒状部より外方に導出された点火用導火線とを備え、前記第１の火薬部は前記点火用導火線の点火に起因して着火するように構成されている請求項２または３に記載の玩具煙火。
【請求項５】
前記外装部は、樹脂材料にて形成されている請求項２ないし４のいずれかに記載の玩具煙火。
【請求項６】
前記外装部の構成材料には蓄光材料が付与されている請求項２ないし５のいずれかに記載の玩具煙火。
【請求項７】
前記外装部には開口部が設けられ、該開口部からは前記第２の火薬部の間欠燃焼に伴って生起するガス圧によって当該開口部の形状に対応した形状を有する煙が間欠的に放出される請求項２ないし６のいずれかに記載の玩具煙火。
【発明の詳細な説明】
【０００１】
【発明の属する技術分野】
本発明は、花火遊戯に供して好適な玩具煙火に関する。
【０００２】
【従来の技術】
従来より、複数種の火薬部を隣接して配し、火薬部の燃焼に伴う発光現象を間欠的なものとして花火遊戯の興趣を増大させたスパークラーが種々提案されている。例えば、そのようなものとして、本願出願人による実公昭５５−２６７１９号公報、或いは他社出願による実公平４−２９２７１号公報に記載のスパークラーがある。
【０００３】
【発明が解決しようとする課題】
ところで、これらの公報に記載のスパークラーは共に、間欠的に発光させる構造として、第１の火薬部の表面に第２の火薬部を不連続的（点在、環状、或いは螺旋状）に塗布して間欠発光を実現させている。したがって、第２の火薬部の付着作業が極めて煩雑でありコスト高の要因となり、ひいては市場への提供を困難なものとしている。
また、この複数種の火薬の組み合わせによる間欠的な発光現象を他の種類の玩具煙火に応用したものは存在しなかった。
【０００４】
そこで、本発明の第１の課題は、極めて容易かつ低廉に作製することができる間欠発光を生起させる玩具煙火を提供することにある。また、本発明の第２の課題は、複数種の火薬部の組み合わせによる間欠的な発光現象を利用した、より興趣に富んだ玩具煙火を提供することにある。
【０００５】
上記第１の課題を解決するものは、常温において火薬部の一端に着火すると他端まで継続して燃焼する第１の火薬部と、該第１の火薬部に沿って連続的に設けられ、常温において火薬部の一端に着火しても燃焼が継続せず中断してしまう第２の火薬部とを有し、前記第２の火薬部は、前記第１の火薬部が燃焼する過程で順次部分的に着火温度に達して燃焼消火を繰り返すことで間欠発光することを特徴とする玩具煙火である。前記第１の火薬部は、外皮と当該外皮内に充填された火薬とからなり該外皮は前記火薬と共に燃焼する導火線にて形成され、前記第２の火薬部は、前記導火線に塗布されたものであってもよい。
【０００６】
また、上記第２の課題を解決するものは、常温において火薬部の一端に着火すると他端まで継続して燃焼する第１の火薬部と、該第１の火薬部に沿って連続的に設けられ、常温において火薬部の一端に着火しても燃焼が継続せず中断してしまう第２の火薬部とを有し、前記第２の火薬部は、前記第１の火薬部が燃焼する過程で順次部分的に着火温度に達して燃焼消火を繰り返すことで間欠発光するものであり、前記第１の火薬部と前記第２の火薬部とを備えた火薬部は透光性を備えた外装部に収納され、前記第１の火薬部に着火すると、前記第２の火薬部が燃焼して前記外装部が間欠的に発光することを特徴とする玩具煙火である。
【０００７】
前記第２の火薬部は、前記第１の火薬部に沿って連続的に設けられ燃焼持続性を有しないものであって、前記第１の火薬部の燃焼が進行する過程で、部分的に着火温度に達して燃焼し間欠発光するものであることが好ましい。前記第２の火薬部は、前記第１の火薬部の表面に沿って不連続的に設けられていてもよい。前記第１の火薬部は、外皮と当該外皮内に充填された火薬とからなり該外皮は前記火薬と共に燃焼する導火線にて形成され、前記第２の火薬部は、前記第１の火薬部に塗布されているものであってもよい。前記玩具煙火は、内部に噴出用火薬或いは打揚げ用火薬を充填した筒状部と、該筒状部より外方に導出された点火用導火線とを備え、前記第１の火薬部は前記点火用導火線の着火に起因して着火するように構成されていてもよい。前記外装部は、樹脂材料にて形成されていることが好ましい。前記外装部の構成材料には蓄光材料が添加されていることが好ましい。前記外装部には開口部が設けられ、該開口部からは前記第２の火薬部の間欠燃焼に伴って生起するガス圧（燃焼ガス圧、或いは燃焼圧）によって当該開口部の形状に対応した形状を有する煙が間欠的に放出されるものであってもよい。
【０００８】
本発明の玩具煙火は、燃焼持続性を有する第１の火薬部に、燃焼持続性を有しない第２の火薬部を連続的に設ける（例えば第１の火薬部の全表面或いは一側面に塗布する）ことにより、間欠発光する玩具煙火が容易に作製される。また、本発明の玩具煙火は、燃焼持続性を有する第１の火薬部と、該第１の火薬部に設けられ間欠的に発光する第２の火薬部とを備えた火薬部が、透光性を備えた外装部に収納されているため、第１の火薬部に点火すると、前記第２の火薬部が燃焼して前記外装部が間欠的に発光する。
【０００９】
【発明の実施の形態】
以下、本発明の玩具煙火を図面に示した各実施例を用いて説明する。
まず、図１および図２に示した本発明の玩具煙火の一実施例について説明する。図１は本発明の玩具煙火の一実施例の正面図であり、図２は図１のＡ−Ａ線断面図である。
【００１０】
この実施例の玩具煙火１はスパークラーであり、燃焼持続性を有する第１の火薬部２と、第１の火薬部２の表面に沿って連続的に設けられ燃焼持続性を有しない第２の火薬部３とを有し、第１の火薬部２に着火すると、第２の火薬部３が順次部分的に燃焼して間欠的に発光することを特徴とする玩具煙火である。以下、各構成について順次説明する。
【００１１】
第１の火薬部２は、燃焼持続性を有する火薬からなっており、図１および図２に示すように軸部材４の先端部付近の外表面を被包するように（環状に）塗布されている。このような第１の火薬部２は、例えば、燃焼持続性を有する火薬によって形成された泥薬内に軸部材４の先端部を浸漬した後、乾燥させることにより容易に形成できる。
【００１２】
第２の火薬部３は、燃焼持続性を有しない火薬からなっており、第１の火薬部２の表面に沿って連続的に設けられている。具体的には、この実施例の第２の火薬部３は、図２に示すように第１の火薬部２の外表面（外側）の一部を被包するように設けられている。なお、この実施例の第２の火薬部３は、第１の火薬部２の先端および基端には塗布されていないが、これらの部分にも塗布されていてもよく、或いは先端部のみを点火部として塗布しないものであってもよい。また、この実施例の玩具煙火１は、内側に燃焼持続性を有する第１の火薬部２を配し、その外側に燃焼持続性を有しない第２の火薬部３を設けているが、逆に、内側に燃焼持続性を有しない第２の火薬部を配し、その外側に燃焼持続性を有する第１の火薬部を配してもよい。
【００１３】
第１の火薬部２の外側に第２の火薬部３を塗布する方法としては、燃焼持続性を有しない火薬によって形成された泥薬内に、第１の火薬部２を形成した部位を浸漬した後、乾燥させて形成してもよく、或いは第１の火薬部２を形成した部位の一部領域のみにハケ等で塗布してもよい。いずれにしても、第２の火薬部３は所定領域に連続的に配すれば足りるため、第２の火薬部を点在させたり、環状或いは螺旋状等に塗布する場合に比して極めて容易に塗布することができる。
【００１４】
なお、本願に言う「燃焼持続性を有する火薬部」とは、常温において火薬部の一端に着火すると他端まで継続して燃焼する火薬部を意味し、他方、「燃焼持続性を有しない火薬部」とは、常温において火薬部の一端に着火しても燃焼が継続せず中断してしまう火薬部を意味する。
【００１５】
このような「燃焼持続性を有する火薬部」と「燃焼持続性を有しない火薬部」は、火薬部の構成成分の配合を調整することによりそれぞれ作製される。すなわち、燃焼持続性を有する火薬部（第１の火薬部２）は、通常、用いられる成分配合の火薬が好適に使用でき、他方、燃焼持続性を有しない火薬部（第２の火薬部３）は、燃焼を促進する成分、例えば、可燃剤（助燃剤）などの配合比を通常より低く設定することにより作製される。
【００１６】
なお、この実施例の場合、第１の火薬部２は硝酸バリウムと鉄粉と助燃剤とミジンコ糊から構成されており、配合比が重量％で、硝酸バリウム：鉄粉：助燃剤：ミジンコ糊＝５０：３５：１３：２に調整されている。他方、第２の火薬部３は、硝酸バリウム（酸素供給剤）とマグナリウムとミジンコ糊（バインダー）から構成されており、配合比が重量％で、硝酸バリウム：マグナリウム：ミジンコ糊＝５４：４３：３に調整されている。
【００１７】
そして、第１の火薬部２の先端に着火すると、第１の火薬部２の燃焼が進行する過程で第２の火薬部３が順次部分的に着火温度に達して燃焼し間欠発光する。具体的には、第２の火薬部３は、第１の火薬部２の燃焼により、ある程度炙らないと着火しないように成分調整がなされているため、第１の火薬部２が燃焼して行くと、着火するに必要な熱が伝導された一部領域のみが燃焼する。そして、一部が燃焼しても第２の火薬部３は燃焼持続性を有しないため、直に消火する（火が消える）。さらに、第１の火薬部２の燃焼が進行することによって、この作用が繰り返えされ、第２の火薬部３の間欠的な燃焼に伴って間欠発光が生起される。
【００１８】
すなわち、本発明の玩具煙火１による間欠発光現象は、第１の火薬部２の着火により第２の火薬部が全く燃焼しないものでは生起せず、他方、第１の火薬部２の着火により第２の火薬部が共に燃焼してしまうものでも生起しない。その中間における微調整（第２の火薬部は第１の火薬部の着火により順次着火するが、ある程度炙らないと着火せず、かつ直に消火するように微調整すること）により始めて生起する現象であり、各火薬部の組成成分や火薬部相互の組み合わせ、さらには第２の火薬部の熱伝導性などに微妙に影響されるものである。
【００１９】
このように、本発明の玩具煙火１は、間欠発光現象を生起させるために、第２の火薬部を分散的に塗布する必要はなく、第１の火薬部に沿って連続的に設けらればよく、間欠発光を生起する玩具煙火を極めて容易に作製することができる。
【００２０】
つぎに、図３および図４に示した本発明の玩具煙火の他の実施例について説明する。図３は本発明の玩具煙火の他の実施例の正面図であり、図４は図３のＢ−Ｂ線断面図である。
【００２１】
この実施例の玩具煙火１０は、前述した玩具煙火１と同様、スパークラーであり、両者の相違は第２の火薬部１２が玩具煙火１のように練り火薬ではなく、薬筒１２ａ内に粉火薬１２ｂを充填したもので構成され、そのような第２の火薬部１２が第１の火薬部１１の側部に固着されている点であり他の構成は同じである。このように、本発明の玩具煙火は、玩具煙火１のように第１および第２の火薬部が共に練り火薬により形成されたものに限定されず、上記のような形態の玩具煙火も含まれる。なお、符号１３は軸部材である。
【００２２】
さらに、図５および図６に示した本発明の玩具煙火の他の実施例について説明する。図５は本発明の玩具煙火の他の実施例の正面図であり、図６は図５のＣ−Ｃ線断面図である。
【００２３】
この実施例の玩具煙火２０は、前述した玩具煙火１と同様、スパークラーであり、両者の相違は第２の火薬部２２が第１の火薬部２１の外周面を被包しておらず、図６に示すように一側部のみ軸方向に沿って塗布されている点であり他の構成は同じである。このように、本発明の玩具煙火は、第１の火薬部２１を被包するものに限定されず、上記のような形態の玩具煙火も広く包含するものである。なお、符号２３は軸部材である。
【００２４】
さらに、図７および図８に示した本発明の玩具煙火の他の実施例について説明する。図７は本発明の玩具煙火の他の実施例の正面図であり、図８は図７のＤ−Ｄ線断面図である。
【００２５】
この実施例の玩具煙火３０は、前述した玩具煙火１がスパークラーであるのに対して、薬筒内に火薬が充填され、かつ薬筒が火薬と共に燃焼する花火（例えば吹き出し花火、すすき花火）である点で基本的に異なる。具体的には、玩具煙火３０は、薬筒３１ａと薬筒の内部に充填された観賞用火薬３１ｂとを有する第１の火薬部３１と、薬筒３１の外表面を被包するように塗布された第２の火薬部３２から構成されている。
【００２６】
そして、この玩具煙火３０は、上記玩具煙火１と同様に、第１の火薬部３１の先端に着火すると、第１の火薬部３１の燃焼が進行する（薬筒も共に燃焼する）過程で第２の火薬部３２が部分的に着火温度に達して燃焼し、この現象が繰り返されることにより間欠発光するように構成されている。
【００２７】
さらに、図９および図１０に示した本発明の玩具煙火の他の実施例について説明する。図９は本発明の玩具煙火の他の実施例の正面図であり、図１０は図９のＥ−Ｅ線断面図である。
この実施例の玩具煙火４０は、前述した玩具煙火３０と同様、吹き出し花火であり、両者の相違は第２の火薬部４２が玩具煙火３０のように練り火薬ではなく、薬筒４２ａ内に粉火薬４２ｂを充填したもので構成され、そのような第２の火薬部４２が第１の火薬部４１の側部に固着されている点であり他の構成は同じである。このように、本発明の玩具煙火は、第２の火薬部が練り火薬により形成されたものに限定されず、上記のような薬筒により形成した玩具煙火をも包含する。なお、符号４１ａは薬筒であり４１ｂは観賞用火薬である。
【００２８】
さらに、図１１および図１２に示した本発明の玩具煙火の他の実施例について説明する。図１１は本発明の玩具煙火の他の実施例の正面図であり、図１２は図１１のＦ−Ｆ線断面図である。
【００２９】
この実施例の玩具煙火５０は、前述した玩具煙火１と同様、吹き出し花火であり、両者の相違は第２の火薬部５２が第１の火薬部５１の外周面を被包しておらず、図１２に示すように一側部のみ軸方向に沿って塗布されている点であり他の構成は同じである。このように、本発明の玩具煙火は、第２の火薬部５２が第１の火薬部５１の外表面を環状に被包するものに限定されず、部分的に連続して塗布されたものを広く包含する。なお、符号５１ａは薬筒であり５１ｂは観賞用火薬である。
【００３０】
つぎに、図１３ないし図１６に示した本発明の玩具煙火の他の実施例について説明する。図１３は本発明の玩具煙火の他の実施例の正面図であり、図１４は図１３に示した玩具煙火の一部切り欠き図であり、図１５は図１３に示した玩具煙火の縦断面図であり、図１６は図１４のＧ−Ｇ線断面図である。
【００３１】
この実施例の玩具煙火６０は、図１４に示すように、燃焼持続性を有する第１の火薬部６１と、第１の火薬部６１の表面に設けられ間欠的に発光する第２の火薬部６２とを備えた火薬部が、透光性を備えた外装部６３内に収納され、第１の火薬部６１に着火すると、第２の火薬部６２が間欠的に燃焼して外装部６３が間欠的に発光することを特徴とする玩具煙火である。そして、玩具煙火６０は、内部に噴出用火薬６４を充填した筒状部６５と、筒状部６５より外方に導出された点火用導火線６６とを備え、第１の火薬部６１は点火用導火線６６の点火に起因して着火するように構成されている。
【００３２】
なお、この実施例の玩具煙火６０は、間欠発光現象を噴出煙火に組み合わせ、現象としては、後述するように噴出現象に加えて外装部の間欠発光現象が生じるように構成して花火遊戯の興趣をさらに増大させたものである。ただし、本発明の玩具煙火は、これに限定されるものではなく、透光性の外装部を間欠発光させるものを広く包含するものであり、例えば間欠発光現象のみのもの、さらには打揚げ煙火と組み合わせたものなども広く本発明の範疇に包含される。以下、各構成について順次説明する。
【００３３】
第１の火薬部６１は燃焼持続性を有するものであり、この実施例では、外皮（図示せず）と外皮内に充填された火薬（図示せず）とからなる導火線にて形成されている。このように、燃焼持続性を有する第１の火薬部６１として、通常用いられる玩具用導火線（外皮が内部に充填された火薬と共に燃焼する導火線）を使用することも可能であり、これにより、さらに容易に間欠現象を生起させる火薬部を作製できる。
【００３４】
第２の火薬部６２は、図１４および図１６に示すように第１の火薬部６１の外表面を被包するように連続的に塗布されており、前述した玩具煙火１と同様に、第１の火薬部６１の燃焼が進行する過程で第２の火薬部６２が順次部分的に着火温度に達して燃焼消火し、当該現象が繰り返されることにより第２の火薬部６２が間欠発光するように構成されている。ただし、間欠発光させる構造は、作製の容易性から前記構成が好ましいが、これに限定されるものではなく、従来のように、第１の火薬部に分散的に或いは点在させて第２の火薬部が設けられたものであってもよい。また、この実施例の第２の火薬部６２は、第１の火薬部６１の外周面を被包するように塗布されているが、これに限定されるものではなく、一側部に塗布されていてもよい。
【００３５】
そして、本発明の玩具煙火６０は、上記のような間欠現象を奏する火薬部が、透光性を備えた外装部６３内に収納されることにより、外装部６３が間欠発光するように形成されている。
【００３６】
外装部６３の形成材料は、透光性を有する材料であればどのようなものでもよく例えば和紙などであってもよいが、この実施例では、樹脂材料が使用されている。このように、外装部を成形性に富んだ樹脂材料で形成することにより、所望の形態とすることができ、花火遊戯後に玩具として使用可能なものも作製できる。
【００３７】
樹脂材料としては、硬質樹脂、半硬質樹脂、軟質樹脂等どのような樹脂を用いてもよく、これらをブレンドしたものを用いてもよいが、ある程度の耐熱性を有していることが好ましい。そして、硬質樹脂もしくは半硬質樹脂としては、ポリカーボネート、アクリル樹脂（ポリアクリレート、ポリアクリルアミド、アクリロニトルースチレン共重合体、アクリロニトル−ブタジエン−スチレン共重合体）、ポリエステル（ポリエチレンテレフタレート、ポリブチレンテレフタレート）、ポリオレフィン（ポリエチレン、ポリプロピレン、エチレン−プロピレンコポリマー）、スチレン樹脂（ポリスチレン、ＭＳ樹脂、ＭＢＳ樹脂、ＡＢＳ樹脂）、ポリ塩化ビニル、ポリアミドなどの合成樹脂が好適に使用できる。また、軟質樹脂としては、ポリウレタン、軟質ポリ塩化ビニル、ポリ酢酸ビニル、ポリエステル、ポリ塩化ビニリデンなどが好適に使用できる。さらに、ウレタンゴム、シリコーンゴム、ブタジエンゴムなどの合成ゴム、オレフィン系エラストマー、アミド系エラストマー、スチレン系エラストマーなど弾性樹脂を使用してもよい。
【００３８】
外装部６３の形状は、内部に前記火薬部６１，６２を収納可能であればどのような形状であってもよく、例えばホタルの形状や火山の形状など、間欠発光と関連するイメージを想起させる形状であってもよい。この実施例では、図１５に示すように円筒形に成形され台座６７上に立設固着されており、外装部６３の表面には、図１３に示すように間欠発光と関連するイメージを想起させる絵（ホタルの絵６８）が描かれている。
【００３９】
さらに、この実施例の玩具煙火６０の外装部６３内には、図１４および図１５に示すように、筒状部６５が台座６７上に立設固着されており、この筒状部の内部には噴出用火薬６４が充填されている。
【００４０】
また、筒状部６５には、一端が噴出用火薬６４付近に配置され、他端が外装部６３の外方に導出された点火用導火線６６が設けられており、この他端に点火すると噴出用火薬６４が着火し、筒状部の上部開口より噴出するように構成されている。
【００４１】
さらに、筒状部６５内には、図１５に示すように第１の火薬部６１の一端６１ａが点火用導火線６６と共に配置され、その他端６１ｂは図１４に示すように、筒状部６５の外方でかつ外装部６３内に導出されている。より具体的には、他端６１ｂは筒状部６５を構成する壁を跨いで外面に沿って垂下されている。そして、点火用導火線６６の点火に起因して第１の火薬部６１の一端６１ａが点火し、さらに第２の火薬部６２に着火するように構成されている。なお、本願において「点火用導火線６６の点火に起因して第１の火薬部が着火する」には、この実施例のように、第１の火薬部６１の一端６１ａが点火用導火線６６に接して配置されており、点火用導火線６６の燃焼により直接第１の火薬部６１が着火すること（点火用導火線の点火部に第１の火薬部の一端が取り付けられている場合を含む）の他、第１の火薬部の一端と点火用導火線とが分離して配置されており、噴出用火薬を介して第１の火薬部が着火する構造を含むものである。
【００４２】
そして、この玩具煙火によって花火遊戯を行う場合は、前述したように点火用導火線６６の一端６６ａに点火する。これによって、まず筒状部６５内の噴出用火薬６４が着火して筒状部の上部より火花を噴出させる。その後、第１の火薬部６１の燃焼が進行する過程で第２の火薬部６２が順次部分的に着火温度に達して燃焼し消火する。そして、この現象が繰り返されることによって第２の火薬部６２が間欠発光するため、透光性を備えた外装部６３が間欠的に発光する。なお、外装部６３の表面にはホタル６８が描かれているため、遊戯者にホタルの発光現象を想起させ花火遊戯の興趣および優美性がより増大される。
【００４３】
つぎに、図１７および図１８に示した本発明の玩具煙火の他の実施例について説明する。図１７は本発明の玩具煙火の他の実施例の正面図であり、図１８は図１７に示した玩具煙火の縦断面図である。
【００４４】
この実施例の玩具煙火７０と前述した玩具煙火６０との相違は、外装部の形態と、外装部に蓄光材料が付与されている点とそれに起因する現象（作用）の相違のみであり他は同じである。同一構成部分については同一符号を付し説明を省略する。
【００４５】
玩具煙火７０の外装部７１の形態は、図１７に示すように骸骨の擬態に成形されている。また、外装部７１を構成する樹脂材料には、蓄光材料が含有されており、主として間欠発光現象、或いは噴出現象によって蓄光して花火現象終了後、発光するように構成されている。
【００４６】
なお、蓄光材料とは、外部からの光に刺激され蓄えられたエネルギーを徐々に光に変えて発光を続けるものであり、例えば、硫化亜鉛に銅を賦活した顔料（ＺｎＳ：Ｃｕ）、硫化カルシウム（ビスマス）系顔料、アルミン酸ストロンチウムを母結晶とした蓄光蛍光体、ピカリコ（登録商標：ケミテック株式会社製）などの微粉末体が好適に使用できる。そして、この実施例の外装部７１は、上記蓄光材料の粉末を樹脂材料に混合して形成されている。
【００４７】
ただし、外装部７１への蓄光材料の添加はこれに限定されるものではなく、蓄光材料が外装部７１の外面に塗布されていてもよく、また例えば骸骨の目、鼻および口のみに部分的に蓄光材料を塗布したものであってもよく、さらには、蓄光材料にて形成された文字、記号、或いは絵が外装部７１の外面に描かれたものであってもよい。なお、蓄光材料にて文字、記号、或いは絵を施す方法は、印刷、転写、或いは噴霧などどのような方法によってもよい。
【００４８】
そして、この玩具煙火７０によって花火遊戯を行う場合は、玩具煙火６０と同様、点火用導火線６６に点火する。これによって、まず筒状部６５内の噴出用火薬６４が着火して筒状部の上部より火花を噴出させる。その後、第１の火薬部６１の燃焼が進行する過程で、第２の火薬部（図示せず）が部分的に着火温度に達して燃焼し消火する。この現象が繰り返されることによって第２の火薬部が間欠発光するため、透光性を備えた外装部７１が間欠的に発光する。さらに、間欠発光を含めた花火現象終了後には、蓄光材料による発光現象（この実施例では外装部が青白く浮かび上るように現出する）が生起するため、花火遊戯の興趣および優美性が増大すると共に、使用可能な火薬量の範囲内で遊戯時間を長くすることができ、さらにゴミ回収時の目印ともなる。
【００４９】
つぎに、図１９および図２０に示した本発明の玩具煙火の他の実施例について説明する。図１９はその正面図であり、図２０はその縦断面図である。
【００５０】
この実施例の玩具煙火８０は、外装部８１に開口部８２が設けられ、この開口部８２から第２の火薬部８３の間欠燃焼に伴って生起する燃焼ガス圧によって開口部８２の形状に対応した形状を有する煙が間欠的に放出される点に特徴を有するものである。そして、玩具煙火８０と前述した玩具煙火６０との基本的な相違点は、上記煙を間欠的に放出する開口部８２を有している点と、外装部８１の形態と、噴出現象を生起させる構造を有していない点のみであり他は同じである。以下、具体的に説明する。
【００５１】
外装部８１内部には、図２０に示すように第１の火薬部８４に連続して設けられた第２の火薬部８３が図中横方向に延在するように取り付けられている。また、第１の火薬部８４の一端は外装部８１の外方に導出されており、この一端に点火すると順次図中左方向に向かって第１の火薬部８４および第２の火薬部８３が順次燃焼するように構成されている。さらに、外装部８１の図中左側上方には開口部８２が設けられており、第１の火薬部８４の一端に点火して着火させ第２の火薬部８３が存在する部位以降に至ると、第２の火薬部８３が間欠的に燃焼し、かつ間欠的に発光し、これに伴って生起する燃焼ガス圧によって開口部８２より煙が間欠的に放出される。
【００５２】
放出される煙は、開口部８２の形状に対応した形状のものとなり、この実施例では円形の煙が間欠的に放出される。そして、この実施例の外装部８１は、蒸気機関車の擬態に成形されており、開口部８２は煙突の上端に設けられ、花火遊戯中、遊戯者に走行中のＳＬを想起させるように構成されている。このように、玩具煙火８０では、間欠発光現象に加えて煙放出現象も生起させることができるため、花火遊戯の興趣がより増大する。さらに、間欠発光現象および煙放出現象に加えて噴出現象、打揚げ現象をも付加した玩具煙火も本発明の範疇に包含される。
【００５３】
【発明の効果】
請求項１に記載した発明によれば、間欠発光を生起する玩具煙火を極めて容易に作製することができる。
請求項２に記載した発明によれば、複数種の火薬の組み合わせによる間欠的な発光現象を生起させる、より興趣に富んだ玩具煙火が作製される。
請求項３に記載した発明によれば、上記請求項２に記載した発明をより容易に作製できる。
請求項４に記載の発明によれば、従来の噴出現象或いは打揚げ現象に加えて間欠発光現象を生起させることが可能となり、花火遊戯の興趣をさらに増大させることができる。
請求項５に記載した発明によれば、外装部が成形性に富んだ樹脂材料にて形成されるため、様々な形態とすることができ、間欠発光と関連するイメージを想起させる形態にも成形可能となる。さらに、花火遊戯後に玩具として使用可能なものも作製できる。
請求項６に記載の発明によれば、花火現象終了後に、蓄光材料による発光現象が生起するため、花火遊戯の興趣および優美性が増大すると共に、使用可能な火薬量の範囲内で遊戯時間を長くすることができ、さらにゴミ回収時の目印ともなる。
請求項７に記載した発明によれば、間欠発光現象に加えて、さらに煙放出現象が生起されるため、花火遊戯の興趣をより増大させることができる。
【図面の簡単な説明】
【図１】本発明の玩具煙火の一実施例の正面図である。
【図２】図１のＡ−Ａ線断面図である。
【図３】本発明の玩具煙火の他の実施例の正面図である。
【図４】図３のＢ−Ｂ線断面図である。
【図５】本発明の玩具煙火の他の実施例の正面図である。
【図６】図５のＣ−Ｃ線断面図である。
【図７】本発明の玩具煙火の他の実施例の正面図である。
【図８】図７のＤ−Ｄ線断面図である。
【図９】本発明の玩具煙火の他の実施例の正面図である。
【図１０】図９のＥ−Ｅ線断面図である。
【図１１】本発明の玩具煙火の他の実施例の正面図である。
【図１２】図７のＦ−Ｆ線断面図である。
【図１３】本発明の玩具煙火の他の実施例の正面図である。
【図１４】図１３に示した玩具煙火の一部切り欠き図である。
【図１５】図１３に示した玩具煙火の縦断面図である。
【図１６】図１４のＧ−Ｇ線断面図である。
【図１７】本発明の玩具煙火の他の実施例の正面図である。
【図１８】図１７に示した玩具煙火の縦断面図である。
【図１９】本発明の玩具煙火の他の実施例の正面図である。
【図２０】図１９に示した玩具煙火の縦断面図である。
【符号の説明】
１  玩具煙火
２  第１の火薬部
３  第２の火薬部
４  軸部材
【図１】
0004289701.tif 000002
【図２】
0004289701.tif 000003
【図３】
0004289701.tif 000004
【図４】
0004289701.tif 000005
【図５】
0004289701.tif 000006
【図６】
0004289701.tif 000007
【図７】
0004289701.tif 000008
【図８】
0004289701.tif 000009
【図９】
0004289701.tif 000010
【図１０】
0004289701.tif 000011
【図１１】
0004289701.tif 000012
【図１２】
0004289701.tif 000013
【図１３】
0004289701.tif 000014
【図１４】
0004289701.tif 000015
【図１５】
0004289701.tif 000016
【図１６】
0004289701.tif 000017
【図１７】
0004289701.tif 000018
【図１８】
0004289701.tif 000019
【図１９】
0004289701.tif 000020
【図２０】
0004289701.tif 000021